(57)【要約】【課題】配線の増設や分岐に柔軟に対応可能であり且つ配線カバーを雨樋に取り付けることができる技術を提供する。【解決手段】バンド１１０は、バンド通し孔１１に通され、雨樋１００に巻き付けられる。螺子Ｓ１は、螺子通し孔２１を通され、螺子受け穴１２に螺合する。取付部２２Ａの凸部２２１が、配線カバー２００Ａのレール部２０１に形成された孔２０１Ａに外側から嵌め込まれ、取付部２２Ａの２つの片２２２がレール部２０１の内側にスライドする。レール部２０１には、配線カバー２００Ａの蓋部２０２がスライドして嵌め込まれる。同様に配線カバー２００Ｂも取付部２２Ｂに取り付けられる。【選択図】図１
2015145611.tif 000002
【特許請求の範囲】
【請求項１】
雨樋の外面に配線用の配線カバーを取り付けるためのアタッチメントを含む配線カバー取付構造であって、
前記アタッチメントの本体であるアタッチメント本体は、当該アタッチメント本体を前記雨樋に取り付けるための構造と、当該アタッチメント本体に前記配線カバーを固定するための配線カバー固定部と
を備えることを特徴とする配線カバー取付構造。
【請求項２】
前記配線カバー取付構造は、前記アタッチメントに対して着脱可能な接続ベースを含み、
前記接続ベースの本体である接続ベース本体には、前記接続ベース本体を前記アタッチメント本体の配線カバー固定部に取り付けるためのアタッチメント固定部が形成され、
前記接続ベース本体には、２つの配線カバーの一方を前記接続ベース本体に取り付けるための取付部と、前記２つの配線カバーの他方を前記接続ベース本体に取り付けるための取付部とが前記アタッチメント固定部を挟んで形成されていることを特徴とする請求項１記載の配線カバー取付構造。
【請求項３】
前記配線カバー固定部は、前記配線カバーのレール部に形成された孔に引っ掛け止めされ且つ着脱可能なフックであることを特徴とする請求項１記載の配線カバー取付構造。
【請求項４】
前記配線カバー取付構造は、前記アタッチメントに対して着脱可能な接続ベースを含み、
前記接続ベースの本体である接続ベース本体には、前記接続ベース本体を前記アタッチメント本体の配線カバー固定部に取り付けるためのアタッチメント固定部が形成され、
前記接続ベース本体には、２つの配線カバーの一方を前記接続ベース本体に取り付けるための取付部と、前記２つの配線カバーの他方を前記接続ベース本体に取り付けるための取付部とが前記アタッチメント固定部を挟んで形成され、
前記配線カバー固定部は、前記アタッチメント固定部に形成された孔に引っ掛け止めされ且つ着脱可能なフックであることを特徴とする請求項１記載の配線カバー取付構造。
【請求項５】
前記２つの配線カバーに被せて当該２つの配線カバーの隙間を覆うための接続部蓋を含むことを特徴とする請求項２または４記載の配線カバー取付構造。
【請求項６】
前記接続部蓋には、前記隙間から引き出した配線を外部に導出するための配線導出管が形成されることを特徴とする請求項５記載の配線カバー取付構造。
【請求項７】
前記配線導出管は先端部から２分割可能であることを特徴とする請求項６記載の配線カバー取付構造。
【請求項８】
前記配線導出管の先端部は閉塞され且つ当該先端部から２分割可能であることを特徴とする請求項６記載の配線カバー取付構造。
【請求項９】
配線カバーの端部に取り付ける端部蓋を含むことを特徴とする請求項１ないし７のいずれかに記載の配線カバー取付構造。
【請求項１０】
雨樋の外面に配線用の配線カバーを取り付けるためのアタッチメントを用いて行う配線カバー取付方法であって、
前記アタッチメントの本体であるアタッチメント本体には、当該アタッチメント本体を前記雨樋に取り付けるための構造と、当該アタッチメント本体に前記配線カバーを固定するための配線カバー固定部とが形成され、
前記配線カバー取付方法は、
前記雨樋を取り付けるための構造により前記雨樋に取り付けた前記アタッチメント本体の前記配線カバー固定部に前記配線カバーを取り付ける工程を備えることを特徴とする配線カバー取付方法。
【請求項１１】
雨樋の外面に配線用の配線カバーを取り付けるためのアタッチメントと当該アタッチメントに対して着脱可能な接続ベースとを用いて行う配線カバー取付方法であって、
前記アタッチメントの本体であるアタッチメント本体には、当該アタッチメント本体を前記雨樋に取り付けるための構造と、当該アタッチメント本体に前記配線カバーを固定するための配線カバー固定部とが形成され、
前記接続ベースの本体である接続ベース本体には、前記接続ベース本体を前記アタッチメント本体の配線カバー固定部に取り付けるためのアタッチメント固定部が形成され、
前記接続ベース本体には、２つの配線カバーの一方を前記接続ベース本体に取り付けるための取付部と、前記２つの配線カバーの他方を前記接続ベース本体に取り付けるための取付部とが前記アタッチメント固定部を挟んで形成され、
前記配線カバー取付方法は、
前記雨樋を取り付けるための構造により前記雨樋に取り付けた前記アタッチメント本体の前記配線カバー固定部に前記アタッチメント固定部を取り付ける工程と、
前記一方の配線カバーを取り付けるための取付部に前記一方の配線カバーを取り付ける工程と、
前記他方の配線カバーを取り付けるための取付部に前記他方の配線カバーを取り付ける工程とを備えることを特徴とする配線カバー取付方法。
【発明の詳細な説明】
【技術分野】
【０００１】
本発明は、配線の増設や分岐に柔軟に対応可能であり且つ配線カバーを雨樋に取り付けることができる技術に関するものである。
【背景技術】
【０００２】
従来において、屋外から家屋に通信線などの配線を引き込む場合、配線を既存の配管などに収納することが一般的であるが、既存の配管がない場合や既存の配管がいっぱいで新たな配線が不可能であった場合には、新たな配管敷設工事をしたり、壁面に屋外配線用の配線カバーを取り付けて配線工事をしたりといったことが必要であった。
【先行技術文献】
【特許文献】
【０００３】
【特許文献１】特開２００８−６９９７５号公報
【発明の概要】
【発明が解決しようとする課題】
【０００４】
しかし、そのような配線方法は工事コストの上昇を招くほか、壁面に配線カバーを取り付けることは壁面に螺子穴が開く、壁面との調和がとれず美観を損ねるといった問題を生じさせる。また、工事に利用する高所作業車や梯子の問題で、敷設できる高度に限界があるので、例えば、集合住宅の屋上から下方に向け壁伝いに設置される雨樋に沿わせて配線カバーを取り付け、配線カバーに配線を通すことが検討されている。
【０００５】
そのような雨樋の周囲には、雨樋を外壁に取り付けるための雨樋取付具があるため、雨樋に沿わせて配線カバーを取り付ける場合、雨樋取付具と配線カバーとの接触を防止すべく、配線カバーを雨樋からある程度離す必要がある。しかし、離しすぎると雨樋との一体感がなくなり、美観的にも悪い。また、集合住宅の場合には、引き込む住居の数や場所に合わせた配線の追加や配管の分岐が発生するため、そのような工事需要にも柔軟に対応できなくてはならない。
【０００６】
本発明は、上記の課題に鑑みてなされたものであり、その目的とするところは、配線の増設や分岐に柔軟に対応可能であり且つ配線カバーを雨樋に取り付けることができる技術を提供することにある。
【課題を解決するための手段】
【０００７】
上記の課題を解決するために、本発明の配線カバー取付構造は、雨樋の外面に配線用の配線カバーを取り付けるためのアタッチメントを含む配線カバー取付構造であって、前記アタッチメントの本体であるアタッチメント本体は、当該アタッチメント本体を前記雨樋に取り付けるための構造と、当該アタッチメント本体に前記配線カバーを固定するための配線カバー固定部とを備えることを特徴とする。
【０００８】
本発明の配線カバー取付方法は、雨樋の外面に配線用の配線カバーを取り付けるためのアタッチメントを用いて行う配線カバー取付方法であって、前記アタッチメントの本体であるアタッチメント本体には、当該アタッチメント本体を前記雨樋に取り付けるための構造と、当該アタッチメント本体に前記配線カバーを固定するための配線カバー固定部とが形成され、前記配線カバー取付方法は、前記雨樋を取り付けるための構造により前記雨樋に取り付けた前記アタッチメント本体の前記配線カバー固定部に前記配線カバーを取り付ける工程を備えることを特徴とする。
【発明の効果】
【０００９】
本発明によれば、アタッチメント本体には、アタッチメント本体を雨樋に取り付けるための構造と、アタッチメント本体に配線カバーを固定するための配線カバー固定部とが形成されているので、配線カバーを雨樋に取り付けることができる。
【図面の簡単な説明】
【００１０】
【図１】雨樋に配線カバーを取り付けるための配線カバー取付構造を示す図である。
【図２】図１の一部を詳細に説明するための図である。
【図３】端部蓋Ｅの構成を示す図である。
【図４】接続部蓋４の構成を示す図である。
【図５】分割された配線導出管４１Ａを示す図である。
【図６】一体化した配線導出管４１Ａを示す図である。
【図７】配線導出管４１Ｂの構成を示す図である。
【図８】一体化した配線導出管４１Ｂを示す図である。
【図９】分割された配線導出管４１Ｂを示す図である。
【図１０】アタッチメント１とは別な構造のアタッチメント５を用いた配線カバー取付構造を示す図である。
【図１１】アタッチメント５を用いた別の配線カバー取付構造を示す図である。
【発明を実施するための形態】
【００１１】
以下、本発明の実施の形態について図面を参照して説明する。
【００１２】
図１は、雨樋に配線カバーを取り付けるための配線カバー取付構造を示す図であり、図２は、図１の一部を詳細に説明するための図である。
【００１３】
雨樋１００は、例えば、集合住宅の屋上から下方に向け壁１０００伝いに設置され、その周囲には、雨樋１００を壁１０００に取り付けるための雨樋取付具１０２が取り付けられる。
【００１４】
アタッチメント１は、雨樋１００の湾曲した外面１０１に配線用の配線カバー２００Ａ、２００Ｂ（総称して、単に配線カバーともいう）を取り付けるためのものである。接続ベース２は、配線カバー２００Ａと配線カバー２００Ｂを接続するものである。接続部蓋３は、接続ベース２に被せて、配線カバー２００Ａ、２００Ｂの隙間を覆うためのものである。
【００１５】
（アタッチメント１）
アタッチメント１は、一定形状のアタッチメント本体１Ｂを有する。アタッチメント本体１Ｂの材質は、例えば、プラスチックである。
【００１６】
アタッチメント本体１Ｂには、アタッチメント本体１Ｂを雨樋１００に取り付けるために雨樋１００に巻き付けるバンド１１０を通すためのバンド通し孔１１と、アタッチメント本体１Ｂに接続ベース２を介して配線カバーを取り付けるための螺子Ｓ１を受ける螺子受け穴１２が形成される。本実施形態では、アタッチメント本体に配線カバーを固定するための配線カバー固定部として螺子を使用した例を示しているが、配線カバー固定部は必ずしも螺子である必要性はない。
【００１７】
アタッチメント本体１Ｂを雨樋の湾曲した外面１０１の反対側から見た場合、つまり、矢印Ｙの方向にアタッチメント本体１Ｂを見た場合、バンド通し孔１１の位置および螺子受け穴１２の位置が相違する。よって、アタッチメント本体１Ｂの矢印Ｙ方向の厚さを薄く製作できる。また、外面１０１に接するアタッチメント本体１Ｂの内面は湾曲している。
【００１８】
なお、アタッチメント本体１Ｂを薄く製作しなくてよい場合においては、バンド通し孔１１および螺子受け穴１２を同位置に配置してもよい。
【００１９】
（接続ベース２）
接続ベース２は、アタッチメント１に対して着脱可能なものであり、一定形状の接続ベース本体２Ｂを有する。接続ベース本体２Ｂの材質は、例えば、プラスチックである。なお、接続部蓋３の材質も、例えば、プラスチックである。
【００２０】
接続ベース本体２Ｂには、螺子Ｓ１により接続ベース本体２Ｂをアタッチメント本体１Ｂに取り付けるための螺子通し孔２１が形成される。螺子通し孔２１が形成された部分は、接続ベース本体２Ｂをアタッチメント本体１Ｂの配線カバー固定部に取り付けるための部分であり、アタッチメント固定部という。
【００２１】
また、接続ベース本体２Ｂには、配線カバー２００Ａを接続ベース本体２Ｂに取り付けるための取付部２２Ａと、配線カバー２００Ｂを接続ベース本体２Ｂに取り付けるための取付部２２Ｂとが螺子通し孔２１を挟んで形成されている。本実施形態では、接続ベース本体２Ｂにアタッチメント本体１Ｂを固定するためのアタッチメント固定部として螺子通し孔２１を使用した例を示しているが、アタッチメント固定部は必ずしも螺子通し孔である必要性はない。
【００２２】
（配線カバーの取付方法）
バンド１１０は、バンド通し孔１１に通され、雨樋１００に巻き付けられる。これにより、アタッチメント本体１Ｂが雨樋１００に取り付けられる。アタッチメント本体１Ｂがあるので、後述のように取り付けた配線カバー２００Ｂと雨樋を外壁に取り付けるための雨樋取付具１０２の間に距離ができ、接触が防止される。また、アタッチメント本体１Ｂを薄く製作できるので、配線カバーは雨樋１００に近く配置できる。その結果、一体感が得られ、美観的に好ましい。
【００２３】
また、雨樋に粘着テープや接着剤、螺子等を使用せずに配線カバーを固定することができるため、雨樋に傷をつけたり、配線カバーを撤去したときに固定痕が残ったりすることを防ぐことができる。
【００２４】
また、アタッチメント本体１Ｂの内面は湾曲しているので、雨樋の湾曲した外面１０１との間に隙間ができにくく、配線カバーの姿勢の安定化を図れる。
【００２５】
螺子Ｓ１は、螺子通し孔２１を通され、螺子受け穴１２に螺合する。これにより、接続ベース２がアタッチメント１に取り付けられる。
【００２６】
配線カバー２００Ａは取付部２２Ａに取り付けられ、配線カバー２００Ｂは取付部２２Ｂに取り付けられる。具体的には、取付部２２Ａの凸部２２１が、配線カバー２００Ａのレール部２０１に形成された孔２０１Ａに外側から嵌め込まれ、取付部２２Ａの２つの片２２２がレール部２０１の内側にスライドする。レール部２０１には、配線カバー２００Ａの蓋部２０２がスライドして嵌め込まれる。同様に配線カバー２００Ｂも取付部２２Ｂに取り付けられる。
【００２７】
接続部蓋３は、配線カバー２００Ａのレール部２０１の端部と配線カバー２００Ｂのレール部２０１の端部に跨って被され、これにより、配線カバー２００Ａ、２００Ｂの隙間を覆う。このとき、蓋部２０２の端面２０２１と接続部蓋３の端面３１が当接する。また、接続部蓋３のフック３２が、接続ベース２のフック２３に引っ掛かり、外れを防止する。
【００２８】
配線時には、例えば、接続部蓋３が一旦外され、配線３００が配線カバー２００Ａ、２００Ｂの内部へ導かれ、再び接続部蓋３が取り付けられる。接続部蓋３により、配線３００の露出、配線カバー内への異物の侵入を防止できる。なお、接続部蓋３を取り付けたまま、配線３００を一方の配線カバーから接続ベース２を介して他方の配線カバーに通してもよい。
【００２９】
図３に示すように、配線カバーの端部を別な配線カバーに接続しない場合、例えば、その端部には、端部蓋Ｅが取り付けられ、閉塞される。これにより、配線カバー内への異物の侵入を防止できる。例えば、鉛直方向に配置された配線カバーの下端部に取り付けた端部蓋Ｅは、重力により、配線カバーとの間に隙間を形成し、配線カバーに侵入した水の排出が可能となる。
【００３０】
図４は、接続部蓋３とは別な形状の接続部蓋４の構成を示す図である。ここでは、接続部蓋３との差異を説明する。
【００３１】
接続部蓋４には、配線カバー２００Ａ、２００Ｂの隙間から引き出した配線３００を外部に導出するための配線導出管４１Ａが形成されている。これにより、配線３００を例えば、配線導出管４１Ａに接続したパイプＰの中に通すことができる。例えば、配線３００を、壁１０００伝いに、宅内などに引き込むことができる。
【００３２】
例えば、当初は接続部蓋３を使用し、必要時、接続部蓋４に取り替えるという使用方法を採用できる。また、その逆も可能である。
【００３３】
図５に示すように、配線導出管４１Ａは、配線３００を引き出す先端部４１１から２分割可能である。フック４２をフック孔４３に引っ掛けることで、分割された配線導出管４１Ａが一体化し（図６）、外せば配線導出管４１Ａは分割される。
【００３４】
配線導出管４１Ａは、分割可能なので、パイプＰを接続するための特別な仕組みは必要なく、単にパイプＰを挟み込んで取り付けることができる。
【００３５】
また、仮に先端部４１１から分割できないこととすると、配線導出管４１Ａは、配線３００をパイプＰに通した後からでは取り付けることができない。つまり、配線３００を一旦パイプＰから引き抜き、先端部４１１の開口を通してから、再びパイプＰに通さなければならない。
【００３６】
しかし、先端部４１１から分割可能な配線導出管４１Ａは、配線３００を挟み込むようにすればよいので、一旦パイプＰから配線３００を引き抜かなくても、つまり、配線３００をパイプＰに通した後からでも取り付けることができる。
【００３７】
あるいは、配線導出管４１Ａを用いて配線を敷設した場合において、新たな配線が別の方向に必要になり、後述のような配線導出管４１Ｂに交換する必要が生じた場合についても、分割可能な構造とすることで簡単に交換することができる。
【００３８】
また、先端部４１１の内周面には、パイプＰの外周面に形成された溝Ｐ１に嵌り込む襞４１１１が形成されている。これにより、パイプＰが先端部４１１から抜けるのを防止することができる。
【００３９】
次に、図７、図８、図９を用い、配線導出管４１Ａとは別な形状の配線導出管４１Ｂについて説明する。ここでは、配線導出管４１Ａとの差異を説明する。
【００４０】
配線導出管４１Ｂは、配線導出管４１Ａと違い、接続部蓋４に交差するように形成される。よって、パイプＰを壁１０００と平行にするには、アタッチメント１を壁１０００の反対側に配置すればよい。
【００４１】
また、配線導出管４１Ｂは、接続部蓋４に対し立体的に交差するように形成される。例えば、配線導出管４１Ｂを、接続部蓋４に対し平面的に交差するように形成すると、図８に示す配線３００Ａは配線３００Ｂに強く擦れ、パイプＰに通しにくい。しかし、立体的交差させることで、配線３００Ａは配線３００Ｂに強く擦れず、パイプＰに通しやすくなる。
【００４２】
また、図９に示すように、配線導出管４１Ｂは、配線３００を引き出す先端部４１１から２分割可能である。各フック４２Ｂを、対応する凹部４３Ｂに引っ掛けることで、分割された配線導出管４１Ｂが一体化し、外せば配線導出管４１Ｂは分割される。
【００４３】
配線導出管４１Ｂの先端部４１１は、当初は蓋４１１Ｆで閉塞されている。例えば、パイプＰを接続すべき先端部４１１の蓋４１１Ｆを、溝４１１Ｇに刃物を入れて切り落とすことで、先端部４１１が開放する。これにより、パイプＰを接続できる。
【００４４】
逆に、パイプＰを接続しない先端部４１１を閉塞のままにでき、つまり、配線の露出、異物の侵入を防止できる。
【００４５】
なお、配線導出管４１Ｂは、２つのパイプＰを接続できる構造だが、一方のみを接続できるようにしてもよい。例えば、一方の先端部４１１に蓋を設けず且つ閉塞してもよい。
【００４６】
このような利用形態により、例えば後日、パイプＰを接続された一方とは逆方向の先端部４１１の方向に配線する必要性が生じた場合、閉塞している先端部４１１を開放することにより、容易に逆方向への配線が可能になる。
【００４７】
図１０は、アタッチメント１とは別な構造のアタッチメント５を用いた配線カバー取付構造を示す図である。図では、便宜上、レール部２０１の一部を切り欠いて示す。
【００４８】
アタッチメント１では、配線カバーを取り付けるための螺子Ｓ１を受ける螺子受け穴１２を設け、これを配線カバー固定部としたが、アタッチメント５では、配線カバー２００Ｃのレール部２０１に形成された孔２０１Ｂに引っ掛け止めされ且つ着脱可能なフック５１をアタッチメント本体５Ｂに設け、このフック５１を配線カバー固定部とする。
【００４９】
アタッチメント５は、雨樋１００にバンド１１０で取り付けられるなど、配線カバー固定部以外の構造については、アタッチメント１と同様である。
【００５０】
孔２０１Ｂは例えば長孔であり、フック５１は孔２０１Ｂに合わせて、一方向に長い形状となっている。図のように取り付ける場合、レール部２０１を水平方向に向け、孔２０１Ｂにフック５１を通す。次に、レール部２０１を９０度回転させ、鉛直方向に向ける。これにより、フック５１が孔２０１Ｂに引っ掛かり、抜け落ちなくなる。外す場合は、取り付けと逆の工程を行えばよい。
【００５１】
図１１は、アタッチメント５を用いた別の配線カバー取付構造を示す図である。
【００５２】
アタッチメント５には、接続ベース２を取り付けてもよい。つまり、接続ベース２の螺子通し孔２１に対しフック５１を同様な方法により引っ掛けることで、アタッチメント５に接続ベース２を取り付けることができる。また、取り付けと逆の工程で取り外すこともできる。
【００５３】
つまり、接続ベース２では螺子通し孔２１を設け、これをアタッチメント固定部としたが、アタッチメント５の配線カバー固定部であるフック５１は、このアタッチメント固定部である孔（２１）に引っ掛け止めされ且つ着脱可能なフックとしても用いることができる。
【００５４】
接続ベース２には、接続部蓋３が取り付けられる。図示しないが、接続部蓋３でなく接続部蓋４を取り付けてもよい。また、接続ベース２には、図１の配線カバー２００Ａ、２００Ｂのように配線カバー（図示せず）が取り付けられる。
【００５５】
このような、図１０、図１１に示す配線カバー取付構造によれば、アタッチメント５の配線カバー固定部を、配線カバーのレール部や接続ベースのアタッチメント固定部に形成された孔に引っ掛け止めされ且つ着脱可能なフック５１としたので、螺子が不要であり、利便性が向上する。また、配線カバーのレール部に取り付ける場合は、接続ベースが不要であり、利便性がさらに向上する。
【符号の説明】
【００５６】
１、５…アタッチメント
１Ｂ、５Ｂ…アタッチメント本体
２…接続ベース
２Ｂ…接続ベース本体
３、４…接続部蓋
１１…バンド通し孔
１２…螺子受け穴
２１…螺子通し孔
２２Ａ、２２Ｂ…取付部
２３、３２、４２、４２Ｂ、５１…フック
３１、２０２１…端面
４１Ａ、４１Ｂ…配線導出管
４３…フック孔
４３Ｂ…凹部
１００…雨樋
１０１…外面
１０２…雨樋取付具
１１０…バンド
２００Ａ、２００Ｂ、２００Ｃ…配線カバー
２０１…レール部
２０１Ａ、２０１Ｂ…孔
２０２…蓋部
２２１…凸部
２２２…片
３００、３００Ａ、３００Ｂ…配線
４１１…先端部
４１１Ｆ…蓋
４１１Ｇ…溝
１０００…壁
４１１１…襞
Ｅ…端部蓋
Ｐ…パイプ
Ｐ１…溝
Ｓ１…螺子
【図１】
2015145611.tif 000003
【図２】
2015145611.tif 000004
【図３】
2015145611.tif 000005
【図４】
2015145611.tif 000006
【図５】
2015145611.tif 000007
【図６】
2015145611.tif 000008
【図７】
2015145611.tif 000009
【図８】
2015145611.tif 000010
【図９】
2015145611.tif 000011
【図１０】
2015145611.tif 000012
【図１１】
2015145611.tif 000013